(57)【要約】【課題】物品を使用頻度別に分類し、限られた空間内に出し入れしやすく且つ効率的に収納することが可能な収納構造を提供すること。【解決手段】収納構造１を、戸車１９を有する前方格納庫３と、前方格納庫３の背面６に配置され、キャスタ２７を有する後方格納庫７とで形成する。前方格納庫３は、上面３７のガイド１７と天井１３のガイド溝１５とが噛み合った状態で、戸車１９を用いて床１１に設けられたレール９上を走行する。後方格納庫７は、上面４５のガイド２３と天井１３のガイド溝２１とが噛み合い、下面４７のガイド溝２９と床１１のガイド３１とが噛み合った状態で、キャスタ２７を用いて前後方向へ移動する。収納構造１では、使用頻度の高い物品を前方格納庫３に、低い物品を後方格納庫７に収納し、前方格納庫３を側方へ移動させた後、後方格納庫７を前方へ引き出して後方格納庫７に物品を出し入れする。【選択図】図１
2008035991.tif 000002
【特許請求の範囲】
【請求項１】
側方への移動手段を有する前方格納庫と、
前記前方格納庫の背面に配置され、前後方向への移動手段を有する後方格納庫と、
を具備し、
前記後方格納庫の使用時に、前記前方格納庫を側方へ移動させた後、前記後方格納庫を前方へ移動させることを特徴とする収納構造。
【請求項２】
前記側方への移動手段が、前記前方格納庫の下面に設けられた車輪であり、前記前方格納庫が、前記車輪を用いて床に設けられたレール上を走行することを特徴とする請求項１記載の収納構造。
【請求項３】
前記前方格納庫は、上面に第１のガイドをさらに有し、前記第１のガイドを天井に設けられた第１のガイド溝に噛み合わせつつ、側方へ移動することを特徴とする請求項２記載の収納構造。
【請求項４】
前記前後方向への移動手段が、前記後方格納庫の下面に設けられた車輪であることを特徴とする請求項１記載の収納構造。
【請求項５】
前記後方格納庫は、上面に第２のガイドを、下面に第３のガイド溝をさらに有し、前記第２のガイドを天井に設けられた第２のガイド溝に、床に設けられた第３のガイドを前記第３のガイド溝に噛み合わせつつ、前後方向へ移動することを特徴とする請求項４記載の収納構造。
【請求項６】
前記後方格納庫は、下面にストッパをさらに有し、前記ストッパが前記第３のガイドに接触することにより移動を停止することを特徴とする請求項５記載の収納構造。
【発明の詳細な説明】
【技術分野】
【０００１】
本発明は、収納構造に関するものである。
【背景技術】
【０００２】
従来、限られた空間内での収納効率を高めるため、奥側に設置された固定収納棚と、固定収納棚より前方に横方向移動可能に設けられた横移動収納棚とを備えた前後２段収納型の収納装置が用いられてきた（例えば、特許文献１参照）。また、横移動収納棚の一部を回転式とすることにより、収納量をさらに増大させることが提案されてきた（例えば、特許文献２参照）。
【０００３】
【特許文献１】実開平０２−１１１３３４号公報
【特許文献２】特開２００５−２９６０８５号公報
【発明の開示】
【発明が解決しようとする課題】
【０００４】
しかしながら、従来の前後２段収納型の収納装置では、奥側に設置される固定収納棚の奥行きが深い場合、固定収納棚の奥の部分に収納された物品を取り出すのが困難であった。
【０００５】
本発明は、このような問題に鑑みてなされたもので、その目的とするところは、物品を使用頻度別に分類し、限られた空間内に出し入れしやすく且つ効率的に収納することが可能な収納構造を提供することにある。
【課題を解決するための手段】
【０００６】
前述した目的を達成するための本発明は、側方への移動手段を有する前方格納庫と、前記前方格納庫の背面に配置され、前後方向への移動手段を有する後方格納庫と、を具備し、前記後方格納庫の使用時に、前記前方格納庫を側方へ移動させた後、前記後方格納庫を前方へ移動させることを特徴とする収納構造である。
【０００７】
前方格納庫に設けられる側方への移動手段は、例えば、前方格納庫の下面に設けられた車輪である。車輪を有する前方格納庫は、車輪を用いて床に設けられたレール上を走行する。前方格納庫には、上面に第１のガイドをさらに設けるのが望ましい。上面に第１のガイドを設けた前方格納庫は、第１のガイドを天井に設けられた第１のガイド溝に噛み合わせつつ、側方へ移動する。
【０００８】
後方格納庫に設けられる前後方向への移動手段は、例えば、後方格納庫の下面に設けられた車輪である。後方格納庫には、上面に第２のガイドを、下面に第３のガイド溝をさらに設けるのが望ましい。上面に第２のガイドを、下面に第３のガイド溝を設けた後方格納庫は、上面の第２のガイドを天井に設けられた第２のガイド溝に、床に設けられた第３のガイドを下面の第３のガイド溝に噛み合わせつつ、前後方向へ移動する。また、後方格納庫には、下面にストッパをさらに設けるのが望ましい。ストッパを設けた後方格納庫は、ストッパが床に設けられた第３のガイドに接触することにより、前方への移動を停止する。
【０００９】
本発明では、側方への移動手段を有する前方格納庫と、前方格納庫の背面に配置され、前後方向への移動手段を有する後方格納庫とで収納構造を形成する。そして、後方格納庫の使用時に、前方格納庫を側方へ移動させた後、後方格納庫を前方へ移動させる。
【発明の効果】
【００１０】
本発明によれば、物品を使用頻度別に分類し、限られた空間内に出し入れしやすく且つ効率的に収納することが可能な収納構造を提供できる。
【発明を実施するための最良の形態】
【００１１】
以下、図面に基づいて、本発明の実施の形態について詳細に説明する。図１は、収納構造１の斜視図を示す。図１に示すように、収納構造１は、２台の前方格納庫３、６台の後方格納庫７等からなる。
【００１２】
前方格納庫３は、直方体形状である。前方格納庫３は、最も面積の広い面が前面５である。２台の前方格納庫３ａ、前方格納庫３ｂは、側面４（図２）同士が対向するように配置される。
【００１３】
後方格納庫７は、直方体形状である。後方格納庫７は、最も面積の広い面が側面８である。後方格納庫７は、前面４１（図３）が前方格納庫３の背面６と対向し、隣接する後方格納庫７の側面８同士が対向するように配置される。収納構造１では、１台の前方格納庫３の背面に、それぞれ３台の後方格納庫７が配置される。
【００１４】
図２は、前方格納庫３の立面図を示す。図２の（ａ）図は、前方格納庫３を図１の矢印Ａに示す方向から見た立面図、図２の（ｂ）図は、前方格納庫３を図１の矢印Ｂに示す方向から見た立面図である。
【００１５】
図２に示すように、前方格納庫３は、下面３９の四隅に、側方への移動手段である戸車１９を有する。前方格納庫３の下方および側方の床１１には、断面がＶ字型のレール９が設けられる。前方格納庫３の戸車１９は、レール９の溝内に配置される。
【００１６】
前方格納庫３は、上面３７の長手方向の両端部付近にガイド１７を有する。ガイド１７は、上端部に頭部１９を有するピンであり、下端部が前方格納庫３の上面３７に固定される。前方格納庫３の上方および側方の天井１３には、ガイド溝１５が固定される。ガイド溝１５は、断面がＬ字型の一対の部材を、互いの脚部１６が近接するように配置して形成される。ガイド１７は、頭部１９がガイド溝１５の内空に配置される。
【００１７】
前方格納庫３は、上面３７に設けられたガイド１７と天井１３に設けられたガイド溝１５とが噛み合った状態で、下面３９に設けられた戸車１９を用いて床１１に設けられたレール９に沿って走行することにより、側方すなわち図１の矢印Ｃ、矢印Ａに示す方向へ移動する。ガイド１７およびガイド溝１５は、前方格納庫３が、側方への移動時にふらつくのを防止する。
【００１８】
図３は、後方格納庫７の立面図を示す。図３の（ａ）図は、後方格納庫７を図１の矢印Ｂに示す方向から見た立面図、図３の（ｂ）図は、後方格納庫７を図１の矢印Ａに示す方向から見た立面図である。
【００１９】
図３に示すように、後方格納庫７は、下面４７の四隅に、前後方向への移動手段であるキャスタ２７を有する。
【００２０】
後方格納庫７は、下面４７にガイド溝２９が埋設される。ガイド溝２９は、後方格納庫７の長手方向に配置される。ガイド溝２９は、断面がロの字型で、下面に帯状の開口部４９を有する部材である。ガイド溝２９は、後方格納庫７の背面４３側の端面にストッパ３５を有する。後方格納庫７の前面４１側の端部付近の下方の床１１には、ガイド３１が設けられる。ガイド３１は、上端部に頭部３３を有するピンであり、下端部が床１１に固定される。ガイド３１は、頭部３３がガイド溝２９の内空に配置される。
【００２１】
後方格納庫７は、上面４５の背面４３側の端部付近にガイド２３を有する。ガイド２３は、上端部に頭部２５を有するピンであり、下端部が後方格納庫７の上面４５に固定される。後方格納庫７の上方の天井１３には、ガイド溝２１が固定される。ガイド溝２１は、後方格納庫７の長手方向に配置される。ガイド溝２１は、断面がロの字型で、下面に帯状の開口部２２を有する部材である。ガイド２３は、頭部２５がガイド溝２１の内空に配置される。
【００２２】
後方格納庫７は、上面４５に設けられたガイド２３と天井１３に設けられたガイド溝２１とが噛み合い、下面４７に設けられたガイド溝２９と床１１に設けられたガイド３１とが噛み合った状態で、下面４７に設けられたキャスタ２７を用いて走行することにより、前後方向すなわち図１の矢印Ｂおよび矢印Ｄに示す方向へ移動する。ガイド２３とガイド溝２１、および、ガイド溝２９とガイド３１は、後方格納庫７が、前後方向への移動時にふらつくのを防止する。
【００２３】
後方格納庫７は、ガイド溝２９の端面に設けられたストッパ３５が床１１に設けられたガイド３１に接触することにより、前方への移動を停止する。
【００２４】
収納構造１は、通常は図１に示す状態で使用される。収納構造１では、収納する物品を使用頻度の高いものから順に１群、２群、３群、４群に分類し、１群を前方格納庫３ｂに、２群を前方格納庫３ａに、３群を後方格納庫７ａ、後方格納庫７ｂ、後方格納庫７ｃに、４群を後方格納庫７ｄ、後方格納庫７ｅ、後方格納庫７ｆに収納するのが望ましい。
【００２５】
最も使用頻度の高い１群の物品や、２番目に使用頻度の高い２群の物品は、図１に示す通常の状態で、前方格納庫３ａ、前方格納庫３ｂの前面５から出し入れされる。
【００２６】
図４は、後方格納庫７ａ、後方格納庫７ｂ、後方格納庫７ｃを前方へ移動させた状態での収納構造１の平面図を示す。３番目に使用頻度の高い３群の物品を出し入れする際には、図４に示すように、まず、前方格納庫３ａを側方すなわち矢印Ｅに示す方向へ移動させて、後方格納庫７ａ、後方格納庫７ｂ、後方格納庫７ｃを前方すなわち矢印Ｆに示す方向へ移動させるための空間を確保する。
【００２７】
前方格納庫３は、上面３７のガイド１７と天井１３に設けられたガイド溝１５とが噛み合った状態で、下面３９の戸車１９を用いて床１１に設けられたレール９に沿って走行する。
【００２８】
次に、通常は図１に示すように前方格納庫３ａの背面に配置されている後方格納庫７ａ、後方格納庫７ｂ、後方格納庫７ｃのうち、物品の出し入れを行うものを前方へ引き出す。
【００２９】
後方格納庫７は、上面４５のガイド２３と天井１３に設けられたガイド溝２１とが噛み合い、下面４７のガイド溝２９と床１１に設けられたガイド３１とが噛み合った状態で、下面４７のキャスタ２７を用いて走行する。後方格納庫７は、下面４７のストッパ３５が床１１に設けられたガイド３１に接触することにより、前方への移動を停止する。
【００３０】
物品は、後方格納庫７ａ、後方格納庫７ｂ、後方格納庫７ｃの側面８から出し入れされる。物品の出し入れを終えた後、後方格納庫７ａ、後方格納庫７ｂ、後方格納庫７ｃのうち、前方に引き出したものを後方すなわち矢印Ｇに示す方向へ押し戻し、元の位置に配置する。さらに、前方格納庫３ａを側方すなわち矢印Ｈに示す方向へ移動させて元の位置に戻し、図１に示す状態とする。
【００３１】
なお、後方格納庫７ａ内の物品を出し入れする際には、前方格納庫３ａを図４に示す位置まで移動させるが、後方格納庫７ｃ内の物品のみを出し入れする際には、前方格納庫３ａを、後方格納庫７ｃを前方に引き出せる位置まで移動させればよい。また、後方格納庫７ｃや後方格納庫７ｂ内の物品のみを出し入れする際には、前方格納庫３ａを、後方格納庫７ｂを前方に引き出せる位置まで移動させればよい。
【００３２】
図５は、後方格納庫７ｄ、後方格納庫７ｅ、後方格納庫７ｆを前方へ移動させた状態での収納構造１の平面図を示す。最も使用頻度の低い４群の物品を出し入れする際には、図５に示すように、まず、前方格納庫３ａ、前方格納庫３ｂを側方すなわち矢印Ｉに示す方向へ移動させて、後方格納庫７ｄ、後方格納庫７ｅ、後方格納庫７ｆを前方すなわち矢印Ｊに示す方向へ移動させるための空間を確保する。
【００３３】
前方格納庫３は、上面３７のガイド１７と天井１３に設けられたガイド溝１５とが噛み合った状態で、下面３９の戸車１９を用いて床１１に設けられたレール９に沿って走行する。
【００３４】
次に、通常は図１に示すように前方格納庫３ｂの背面に配置されている後方格納庫７ｄ、後方格納庫７ｅ、後方格納庫７ｆのうち、物品の出し入れを行うものを前方へ引き出す。
【００３５】
後方格納庫７は、上面４５のガイド２３と天井１３に設けられたガイド溝２１とが噛み合い、下面４７のガイド溝２９と床１１に設けられたガイド３１とが噛み合った状態で、下面４７のキャスタ２７を用いて走行する。後方格納庫７は、下面４７のストッパ３５が床１１に設けられたガイド３１に接触することにより、前方への移動を停止する。
【００３６】
物品は、後方格納庫７ｄ、後方格納庫７ｅ、後方格納庫７ｆの側面８から出し入れされる。物品の出し入れを終えた後、後方格納庫７ｄ、後方格納庫７ｅ、後方格納庫７ｆのうち、前方に引き出したものを後方すなわち矢印Ｋに示す方向に押し戻し、元の位置に配置する。さらに、前方格納庫３ａ、前方格納庫３ｂを側方すなわち矢印Ｌに示す方向へ移動させて元の位置に戻し、図１に示す状態とする。
【００３７】
なお、後方格納庫７ｄ内の物品を出し入れする際には、前方格納庫３ｂを図５に示す位置まで移動させるが、後方格納庫７ｆ内の物品のみを出し入れする際には、前方格納庫３ｂを、後方格納庫７ｆを前方に引き出せる位置まで移動させればよい。また、後方格納庫７ｆや後方格納庫７ｅ内の物品のみを出し入れする際には、前方格納庫３ｂを、後方格納庫７ｅを前方に引き出せる位置まで移動させればよい。
【００３８】
このように、本実施の形態によれば、前方格納庫３の背面６に後方格納庫７を配置して収納構造１を形成し、使用頻度の高い物品を前方格納庫３内に、低い物品を後方格納庫７内に収納する。これにより、使用頻度別に分類した物品を、出し入れしやすく且つ効率的に収納することができる。
【００３９】
すなわち、本実施の形態の収納構造１では、使用頻度の高い物品の出し入れは、前方格納庫３および後方格納庫７を移動させることなく、通常の状態で行われる。使用頻度の低い物品の出し入れは、前方格納庫３を側方へ移動させて後方格納庫７を前方に引き出した状態で行われる。
【００４０】
収納構造１では、後方格納庫７にキャスタ２７を設けて前方への移動を可能とすることにより、後方格納庫７の奥行きが深い場合にも、奥に収納された物品を容易に出し入れすることができる。
【００４１】
なお、本実施の形態では、収納構造１を、２台の前方格納庫３と、６台の後方格納庫７とで形成したが、例えば、収納構造は、１台の前方格納庫３と、２〜３台の後方格納庫７とで形成してもよい。本発明の収納構造は、少なくとも１台の前方格納庫３と、１台の前方格納庫３に対して少なくとも１台配置される後方格納庫７とで形成される。
【００４２】
本実施の形態では、前方格納庫３の側方への移動手段として下面３９に戸車１９を設けたが、側方への移動手段として戸車１９以外のものを用いてもよい。また、後方格納庫７の前後方向への移動手段として下面４７にキャスタ２７を設けたが、前後方向への移動手段としてキャスタ２７以外のものを用いてもよい。
【００４３】
さらに、ガイド溝１５とガイド１７、ガイド溝２１とガイド２３、ガイド溝２９とガイド３１、ストッパ３５の形状や設置位置、設置数は、上述したものに限らない。ガイド溝１５とガイド１７は、前方格納庫３の側方への移動時のふらつきを防止できるものであればよい。ガイド溝２１とガイド２３、ガイド溝２９とガイド３１は、後方格納庫７の前後方向への移動時のふらつきを防止できるものであればよい。ストッパ３５は、後方格納庫７の前方への飛び出しを防止できるものであればよい。
【００４４】
以上、添付図面を参照しながら本発明にかかる収納構造の好適な実施形態について説明したが、本発明はかかる例に限定されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００４５】
【図１】収納構造１の斜視図
【図２】前方格納庫３の立面図
【図３】後方格納庫７の立面図
【図４】後方格納庫７ａ、後方格納庫７ｂ、後方格納庫７ｃを前方へ移動させた状態での収納構造１の平面図
【図５】後方格納庫７ｄ、後方格納庫７ｅ、後方格納庫７ｆを前方へ移動させた状態での収納構造１の平面図
【符号の説明】
【００４６】
１………収納構造
３、３ａ、３ｂ………前方格納庫
４、８………側面
５、４１………前面
６、４３………背面
７、７ａ、７ｂ、７ｃ、７ｄ、７ｅ、７ｆ………後方格納庫
９………レール
１５、２１、２９………ガイド溝
１７、２３、３１………ガイド
１９………戸車
２７………キャスタ
３５………ストッパ
３７、４５………上面
３９、４７………下面
【図１】
2008035991.tif 000003
【図２】
2008035991.tif 000004
【図３】
2008035991.tif 000005
【図４】
2008035991.tif 000006
【図５】
2008035991.tif 000007